(57)【要約】【課題】通常動作モードから省エネルギーモードに復帰する場合、表示手段における短時間での表示と、表示手段における不必要な表示の抑制とをより効果的に実現することが可能な情報処理装置を提供する。【解決手段】メインシステム１０のＣＰＵ２０は、省エネルギーモードから通常動作モードに復帰した時に、電源制御信号をＨｉｇｈにして出力すると共に、操作部制御システム１１のＬＣＤ４５における情報の表示が必要か否かを判断して、当該判断結果が肯定的である場合に、起動モード選択信号をｈｉｇｈにして出力する。操作部制御システム１１のＣＰＵ４０は、電源制御信号の状態を検出し、当該検出結果に応じて、省エネルギーモードからの復帰を検出する。更に、ＣＰＵ４０は、起動モード選択信号の状態を検出し、当該検出結果に応じて、ＬＣＤ４５における情報の表示が必要であるか否かを判断し、当該判断結果に応じて、表示処理を行う。【選択図】        図２
2008229990.tif 000002
【特許請求の範囲】
【請求項１】
装置全体を制御するメインシステムと、通信制御線を介して前記メインシステムに接続されて前記メインシステムと通信して各種機能を実現させる少なくとも１つ以上のサブシステムとを備える情報処理装置であって、
前記サブシステムは、表示手段における情報の表示を制御する第１サブシステムを含み、
前記メインシステムは、
所定の条件に応じて、前記メインシステムと前記サブシステムとに対して所定の電力を供給する通常動作モードに当該情報処理装置を移行させる、又は、前記通常動作モードに移行した時よりも低位の電力を当該メインシステムと前記サブシステムとに対して供給する省エネルギーモードに当該情報処理装置を移行させるモード移行手段と、
前記モード移行手段が当該情報処理装置を前記省エネルギーモードから前記通常動作モードに移行させる場合、その旨を示す電源制御信号を出力する第１信号出力手段と、
前記モード移行手段が当該情報処理装置を前記通常動作モードから省エネルギーモードから通常動作モードに移行させる場合、前記表示手段における情報の表示の要否を判断し、当該判断結果を示す起動モード選択信号を出力する第２信号出力手段とを有し、
前記第１サブシステムは、
前記モード移行手段が当該情報処理装置を前記通常動作モードから前記省エネルギーモードに移行させるときに、当該情報処理装置に関する装置情報を前記メインシステムから取得する装置情報取得手段と、
前記第１信号出力手段が出力した前記電源制御信号を検出する第１信号検出手段と、
前記第２信号出力手段が出力した前記起動モード選択信号を検出する第２信号検出手段と、
前記第１信号検出手段が検出した前記電源制御信号及び前記第２信号検出手段が検出した前記起動モード選択信号に基づいて、前記表示手段における、前記装置情報取得手段が取得した前記装置情報を含む情報の表示を制御する表示制御手段とを有する
ことを特徴とする情報処理装置。
【請求項２】
前記表示制御手段は、前記省エネルギーモードから前記通常動作モードに移行する旨を前記電源制御信号が示す場合且つ前記表示手段における情報の表示が必要である旨を前記起動モード選択信号が示す場合、前記装置情報取得手段が取得した前記装置情報を含む情報を前記表示手段に表示させる
ことを特徴とする請求項１に記載の情報処理装置。
【請求項３】
前記第２信号出力手段は、前記モード移行手段が当該情報処理装置を前記通常動作モードから省エネルギーモードから通常動作モードに移行させる場合、前記所定の条件に応じて、前記表示手段における情報の表示の要否を判断し、当該判断結果を示す起動モード選択信号を出力する
ことを特徴とする請求項１に記載の情報処理装置。
【請求項４】
前記装置情報取得手段は、
前記モード移行手段が当該情報処理装置を前記通常動作モードから前記省エネルギーモードに移行させるときに、当該情報処理装置に関する装置情報を前記通信制御線を介して前記メインシステムから受信する受信手段と、
前記受信手段が受信した前記装置情報を記憶する記憶手段とを有する
ことを特徴とする請求項１に記載の情報処理装置。
【請求項５】
前記モード移行手段が当該情報処理装置を前記通常動作モードから前記省エネルギーモードに移行させる場合、前記メインシステムと前記サブシステムとの間の前記通信制御線を介した通信を遮断させ、前記モード移行手段が当該情報処理装置を前記省エネルギーモードから前記通常動作モードに移行させる場合、前記メインシステムと前記サブシステムとの間の前記通信制御線を介した通信を復活させる通信制御手段を更に備える
ことを特徴とする請求項１に記載の情報処理装置。
【請求項６】
前記第１サブシステムは、前記通信制御線を介して前記メインシステムからコマンドを受信するコマンド受信手段を更に有し、
前記表示制御手段は、前記モード移行手段が当該情報処理装置を前記省エネルギーモードから前記通常動作モードに移行させる場合、前記第２信号検出手段が検出した前記起動モード選択信号と、前記通信制御線を介して前記メインシステムから送信され前記コマンド受信手段が受信したコマンドとについて、前記表示手段における情報の表示の要否が異なる場合、前記コマンド受信手段による前記コマンドの受信と、前記第２信号検出手段による前記起動モード選択信号の検出とのうちいずれか遅い方の前記コマンド又は前記起動モード選択信号によって、前記表示手段における情報の表示を制御する
ことを特徴とする請求項１に記載の情報処理装置。
【請求項７】
前記第２信号検出手段は、前記モード移行手段が当該情報処理装置を前記省エネルギーモードから前記通常動作モードに移行させた後、前記メインシステムと前記第１サブシステムとの間の前記通信制御線を介した通信が可能になった場合、前記第２信号出力手段が出力する前記起動モード選択信号の検出を行わない
ことを特徴とする請求項１に記載の情報処理装置。
【請求項８】
前記モード移行手段が当該情報処理装置を前記省エネルギーモードから前記通常動作モードに移行させる場合、前記装置情報に変更の可能性があるか否かを前記表示制御手段が判断するための機器ステータス信号を出力する第３信号出力手段を更に備え、
前記表示制御手段は、前記第１信号検出手段が検出した前記電源制御信号及び前記第２信号検出手段が検出した前記起動モード選択信号に基づいて、前記表示手段における情報の表示を行うと判断した場合、前記第３信号出力手段が出力した前記機器ステータス信号に基づいて、前記表示手段において表示させる情報に、前記装置情報取得手段が取得した前記装置情報を含ませるか否かを判断し、前記判断手段の判断結果に応じて前記表示手段に情報を表示させる
ことを特徴とする請求項１に記載の情報処理装置。
【請求項９】
前記第３信号出力手段は、前記メインシステムと前記サブシステムとに対する所定の電力の供給の遮断時にＨｉｇｈとなる前記機器ステータス信号を出力し、
前記表示制御手段は、前記第１信号検出手段が検出した前記電源制御信号及び前記第２信号検出手段が検出した前記起動モード選択信号に基づいて、前記表示手段における情報の表示を行うと判断した場合且つ前記第３信号出力手段が出力した前記機器ステータス信号がＨｉｇｈである場合、前記装置情報を含む情報を前記表示手段に表示させる
ことを特徴とする請求項８に記載の情報処理装置。
【請求項１０】
前記サブシステムは、前記起動モード選択信号を出力する第４信号出力手段を有する第２サブシステムを含み、
前記第２信号検出手段は、前記第２信号出力手段が出力した前記起動モード選択信号及び前記第４信号出力手段が出力した前記起動モード選択信号のうち少なくとも一方を検出する
ことを特徴とする請求項１に記載の情報処理装置。
【請求項１１】
装置全体を制御するメインシステムと、通信制御線を介して前記メインシステムに接続されて前記メインシステムと通信して各種機能を実現させる少なくとも１つ以上のサブシステムとを備える情報処理装置であって、
前記サブシステムは、表示手段における情報の表示を制御する第１サブシステムを含み、
前記メインシステムは、
所定の条件に応じて、前記メインシステムと前記サブシステムとに対して電源制御手段が所定の電力を供給する通常動作モードに当該情報処理装置を移行させる、又は、前記通常動作モードに移行した時よりも低位の電力を当該メインシステムと前記サブシステムとに対して前記電源制御手段が供給する省エネルギーモード当該情報処理装置を移行させるモード移行手段と、
前記モード移行手段が当該情報処理装置を前記通常動作モードから省エネルギーモードから通常動作モードに移行させる場合、前記表示手段における情報の表示の要否を判断し、当該判断結果を示す起動モード選択信号を出力する第２信号出力手段とを有し、
前記第１サブシステムは、
前記モード移行手段が当該情報処理装置を前記通常動作モードから前記省エネルギーモードに移行させるときに、当該情報処理装置に関する装置情報を前記メインシステムから取得する装置情報取得手段と、
前記電源制御手段が供給する電力の電位を検出する電力検出手段と、
前記第２信号出力手段が出力した前記起動モード選択信号を検出する第２信号検出手段と、
前記電力検出手段が検出した電位及び前記第２信号検出手段が検出した前記起動モード選択信号に基づいて、前記表示手段における、前記装置情報取得手段が取得した前記装置情報を含む情報の表示を制御する表示制御手段とを有する
ことを特徴とする情報処理装置。
【請求項１２】
装置全体を制御するメインシステムと、通信制御線を介して前記メインシステムに接続されて前記メインシステムと通信して各種機能を実現させる少なくとも１つ以上のサブシステムとを備える情報処理装置であって、
情報の表示を行う表示手段とを更に備え、
前記サブシステムは、前記表示手段における情報の表示を制御する第１サブシステムを含み、
前記メインシステムは、
所定の条件に応じて、前記メインシステムと前記サブシステムとに対して所定の電力を供給する通常動作モードに当該情報処理装置を移行させる、又は、前記通常動作モードに移行した時よりも低位の電力を当該メインシステムと前記サブシステムとに対して供給する省エネルギーモードに当該情報処理装置を移行させるモード移行手段と、
前記モード移行手段が当該情報処理装置を前記省エネルギーモードから前記通常動作モードに移行させる場合、その旨を示す電源制御信号を出力する第１信号出力手段と、
前記モード移行手段が前記通常動作モードから省エネルギーモードから通常動作モードに移行させる場合、前記所定の条件に応じて、前記表示手段における情報の表示の要否を判断し、当該判断結果を示す表示制御信号を出力する第５信号出力手段とを有し、
前記第１サブシステムは、
前記モード移行手段が当該情報処理装置を前記通常動作モードから前記省エネルギーモードに移行させるときに、当該情報処理装置に関する装置情報を前記メインシステムから取得する装置情報取得手段と、
前記第１信号出力手段が出力した前記電源制御信号を検出する第１信号検出手段と、
前記第１信号検出手段が検出した前記電源制御信号に基づいて、前記装置情報取得手段が取得した前記装置情報を含む表示情報を前記表示手段に送信する表示制御手段とを有し、
前記表示手段は、前記第５信号出力手段が出力した前記表示制御信号を検出し、当該表示制御信号に基づいて、前記表示制御手段が送信した前記表示情報を用いた表示又は非表示を選択的に行う
ことを特徴とする情報処理装置。
【請求項１３】
前記表示手段は、当該表示手段における情報の表示が必要である旨を前記表示制御信号が示す場合、前記表示制御手段が送信した前記表示情報を用いた表示を行う
ことを特徴とする請求項１２記載の情報処理装置。
【請求項１４】
前記表示手段は、当該表示手段における情報の表示が不要である旨を前記表示制御信号が示す場合、情報の表示を行わない
ことを特徴とする請求項１２記載の情報処理装置。
【請求項１５】
前記第１信号出力手段が前記電源制御信号を出力するための第１信号線を更に備える
ことを特徴とする請求項１又は請求項１２に記載の情報処理装置。
【請求項１６】
前記第２信号出力手段が前記起動モード選択信号を出力するための第２信号線を更に備える
ことを特徴とする請求項１、請求項１１及び請求項１２のいずれか一項に記載の情報処理装置。
【発明の詳細な説明】
【技術分野】
【０００１】
本発明は、表示装置に表示を行う画像形成装置などの情報処理装置に関するものである。
【背景技術】
【０００２】
近年、画像形成装置においては従来のスタンドアローンの複写機などと比較し、高機能化が著しく、それに伴い画像形成装置に実装されているソフトウェアの規模も大幅に増加している。ソフトウェアの大規模化に伴い、多くの機能を実現することが可能となる反面、それに比例して画像形成装置を起動する際にソフトウェアをロードする時間も増大している。このため、利用者が、画像形成装置を起動させるための起動ボタンを押してから画像形成装置を実際に使用可能となるまでの待ち時間が従来と比べて大幅に長くなり、利用者の利便性を損なうという問題が生じる。
【０００３】
この問題に対する解決策として、画像形成装置が実際に起動する前に利用者に対するユーザーインターフェースを有効にし、見かけ上の待ち時間を低減するといった方法が一般的に採用されている。具体的に例えば、電源起動時、操作部に備えられた表示パネル（ＬＣＤ：liquid crystal monitor）のバックライトを点灯し、「システム起動中」といった表示を行う、または実際に画像形成コマンドの先行受付を行う、といった制御を行っている。このような方法により、利用者の体感的な待ち時間を低減することを実現している。
【０００４】
一方で、画像形成装置が外部からのコマンドにより起動した場合でも、表示パネルに表示を行う必要がない状況も存在しえる。例えば、夜間、ファクシミリを受信した場合である。このような場合、受信データの出力のみが期待されるため、表示パネルに表示を行う必要性は無いと考えられる。また、画像形成装置が画像を保存し、ネットワーク経由でその情報を外部とやり取りするといったサーバ機能を備える場合も、表示を行う必要がない状況であると考えられる。なぜなら、外部からのデータアクセスのたびに画像形成装置が起動して、操作部のバックライトが点灯すると、画像形成装置の近傍で業務を行っている者に対して不必要なストレスを与えてしまう可能性があるからである。この対応策としては画像形成装置が起動した際、操作部を点灯させるのは必要最小限の起動モードに限り、表示が不必要な起動モードについては表示を抑制する、といった制御が最も効果的である。しかし、画像形成装置全体の制御と表示制御とが一元的に行われていない画像形成装置も数多く存在する。このため、表示が必要な起動モードにおける短時間での表示の実行と、表示が不必要な起動モードにおける表示の抑制とを両立することが困難となっている。
【０００５】
この両立を実現するため、画像形成装置の起動要因を特定する専用のハードウェア信号を、画像形成装置全体を制御するシステムコントローラと、表示制御を行う操作部との間に備え、このハードウェア信号によって、点灯制御を行う技術がある（特許文献１参照）。この特許文献１の技術においては、省エネルギーモードから通常動作モードへの復帰時に、操作部がハードウェア信号に基づいて、画像形成装置の起動要因として省エネルギーモードからの復帰要因の詳細を判断して、表示パネルにおいて適切に点灯させることにより、短時間での表示と、不必要な表示の抑制とを実現している。
【０００６】
【特許文献１】特開２００６−１９５２５３号公報
【発明の開示】
【発明が解決しようとする課題】
【０００７】
しかしながら、特許文献１の技術においては、省エネルギーモードにおいて操作部の電源が遮断される構成であり、省エネルギーモードから復帰した際に操作部の電源が活性化され、操作部が起動したときにハードウェア信号を検出する構成となっている。一方、近年の画像形成装置には、操作部の高機能化と表示速度の高速化を実現する手段として、操作部に制御機能及び表示データ生成機能を持たせ、システムコントローラが起動する前に操作部において表示制御を行うことを可能とするものが存在する。このような操作部においては、省エネルギーモードからの復帰時間を短縮するため、省エネルギーモードにおいても一部の電源が遮断されない構成となっている。このような操作部においては、システムコントローラからのハードウェア信号を常に検出可能な状態に維持されている。このため、このような操作部を備える画像形成装置においては、ハードウェア信号をより良いタイミングで検出して、短時間での表示と、不必要な表示の抑制とをより効果的に実現することが望まれている。
【０００８】
本発明は、上記に鑑みてなされたものであって、通常動作モードから省エネルギーモードに復帰する場合、表示手段における短時間での表示と、表示手段における不必要な表示の抑制とをより効果的に実現することが可能な情報処理装置を提供することを目的とする。
【課題を解決するための手段】
【０００９】
上述した課題を解決し、目的を達成するために、請求項１にかかる発明は、装置全体を制御するメインシステムと、通信制御線を介して前記メインシステムに接続されて前記メインシステムと通信して各種機能を実現させる少なくとも１つ以上のサブシステムとを備える情報処理装置であって、前記サブシステムは、表示手段における情報の表示を制御する第１サブシステムを含む。前記メインシステムは、所定の条件に応じて、前記メインシステムと前記サブシステムとに対して所定の電力を供給する通常動作モードに当該情報処理装置を移行させる、又は、前記通常動作モードに移行した時よりも低位の電力を当該メインシステムと前記サブシステムとに対して供給する省エネルギーモードに当該情報処理装置を移行させるモード移行手段と、前記モード移行手段が当該情報処理装置を前記省エネルギーモードから前記通常動作モードに移行させる場合、その旨を示す電源制御信号を出力する第１信号出力手段と、前記モード移行手段が当該情報処理装置を前記通常動作モードから省エネルギーモードから通常動作モードに移行させる場合、前記表示手段における情報の表示の要否を判断し、当該判断結果を示す起動モード選択信号を出力する第２信号出力手段とを有する。前記第１サブシステムは、前記モード移行手段が当該情報処理装置を前記通常動作モードから前記省エネルギーモードに移行させるときに、当該情報処理装置に関する装置情報を前記メインシステムから取得する装置情報取得手段と、前記第１信号出力手段が出力した前記電源制御信号を検出する第１信号検出手段と、前記第２信号出力手段が出力した前記起動モード選択信号を検出する第２信号検出手段と、前記第１信号検出手段が検出した前記電源制御信号及び前記第２信号検出手段が検出した前記起動モード選択信号に基づいて、前記表示手段における、前記装置情報取得手段が取得した前記装置情報を含む情報の表示を制御する表示制御手段とを有することを特徴とする。
【００１０】
請求項２にかかる発明は、請求項１にかかる発明において、前記表示制御手段は、前記省エネルギーモードから前記通常動作モードに移行する旨を前記電源制御信号が示す場合且つ前記表示手段における情報の表示が必要である旨を前記起動モード選択信号が示す場合、前記装置情報取得手段が取得した前記装置情報を含む情報を前記表示手段に表示させることを特徴とする。
【００１１】
請求項３にかかる発明は、請求項１にかかる発明において、前記第２信号出力手段は、前記モード移行手段が当該情報処理装置を前記通常動作モードから省エネルギーモードから通常動作モードに移行させる場合、前記所定の条件に応じて、前記表示手段における情報の表示の要否を判断し、当該判断結果を示す起動モード選択信号を出力することを特徴とする。
【００１２】
請求項４にかかる発明は、請求項１にかかる発明において、前記装置情報取得手段は、前記モード移行手段が当該情報処理装置を前記通常動作モードから前記省エネルギーモードに移行させるときに、当該情報処理装置に関する装置情報を前記通信制御線を介して前記メインシステムから受信する受信手段と、前記受信手段が受信した前記装置情報を記憶する記憶手段とを有することを特徴とする。
【００１３】
請求項５にかかる発明は、請求項１にかかる発明において、前記モード移行手段が当該情報処理装置を前記通常動作モードから前記省エネルギーモードに移行させる場合、前記メインシステムと前記サブシステムとの間の前記通信制御線を介した通信を遮断させ、前記モード移行手段が当該情報処理装置を前記省エネルギーモードから前記通常動作モードに移行させる場合、前記メインシステムと前記サブシステムとの間の前記通信制御線を介した通信を復活させる通信制御手段を更に備えることを特徴とする。
【００１４】
請求項６にかかる発明は、請求項１にかかる発明において、前記第１サブシステムは、前記通信制御線を介して前記メインシステムからコマンドを受信するコマンド受信手段を更に有し、前記表示制御手段は、前記モード移行手段が当該情報処理装置を前記省エネルギーモードから前記通常動作モードに移行させる場合、前記第２信号検出手段が検出した前記起動モード選択信号と、前記通信制御線を介して前記メインシステムから送信され前記コマンド受信手段が受信したコマンドとについて、前記表示手段における情報の表示の要否が異なる場合、前記コマンド受信手段による前記コマンドの受信と、前記第２信号検出手段による前記起動モード選択信号の検出とのうちいずれか遅い方の前記コマンド又は前記起動モード選択信号によって、前記表示手段における情報の表示を制御することを特徴とする。
【００１５】
請求項７にかかる発明は、請求項１にかかる発明において、前記第２信号検出手段は、前記モード移行手段が当該情報処理装置を前記省エネルギーモードから前記通常動作モードに移行させた後、前記メインシステムと前記第１サブシステムとの間の前記通信制御線を介した通信が可能になった場合、前記第２信号出力手段が出力する前記起動モード選択信号の検出を行わないことを特徴とする。
【００１６】
請求項８にかかる発明は、請求項１にかかる発明において、前記モード移行手段が当該情報処理装置を前記省エネルギーモードから前記通常動作モードに移行させる場合、前記装置情報に変更の可能性があるか否かを前記表示制御手段が判断するための機器ステータス信号を出力する第３信号出力手段を更に備え、前記表示制御手段は、前記第１信号検出手段が検出した前記電源制御信号及び前記第２信号検出手段が検出した前記起動モード選択信号に基づいて、前記表示手段における情報の表示を行うと判断した場合、前記第３信号出力手段が出力した前記機器ステータス信号に基づいて、前記表示手段において表示させる情報に、前記装置情報取得手段が取得した前記装置情報を含ませるか否かを判断し、前記判断手段の判断結果に応じて前記表示手段に情報を表示させることを特徴とする。
【００１７】
請求項９にかかる発明は、請求項８にかかる発明において、前記第３信号出力手段は、前記メインシステムと前記サブシステムとに対する所定の電力の供給の遮断時にＨｉｇｈとなる前記機器ステータス信号を出力し、前記表示制御手段は、前記第１信号検出手段が検出した前記電源制御信号及び前記第２信号検出手段が検出した前記起動モード選択信号に基づいて、前記表示手段における情報の表示を行うと判断した場合且つ前記第３信号出力手段が出力した前記機器ステータス信号がＨｉｇｈである場合、前記装置情報を含む情報を前記表示手段に表示させることを特徴とする。
【００１８】
請求項１０にかかる発明は、請求項１にかかる発明において、前記サブシステムは、前記起動モード選択信号を出力する第４信号出力手段を有する第２サブシステムを含み、前記第２信号検出手段は、前記第２信号出力手段が出力した前記起動モード選択信号及び前記第４信号出力手段が出力した前記起動モード選択信号のうち少なくとも一方を検出する
ことを特徴とする。
【００１９】
請求項１１にかかる発明は、装置全体を制御するメインシステムと、通信制御線を介して前記メインシステムに接続されて前記メインシステムと通信して各種機能を実現させる少なくとも１つ以上のサブシステムとを備える情報処理装置であって、前記サブシステムは、表示手段における情報の表示を制御する第１サブシステムを含み、前記メインシステムは、所定の条件に応じて、前記メインシステムと前記サブシステムとに対して電源制御手段が所定の電力を供給する通常動作モードに当該情報処理装置を移行させる、又は、前記通常動作モードに移行した時よりも低位の電力を当該メインシステムと前記サブシステムとに対して前記電源制御手段が供給する省エネルギーモード当該情報処理装置を移行させるモード移行手段と、前記モード移行手段が当該情報処理装置を前記通常動作モードから省エネルギーモードから通常動作モードに移行させる場合、前記表示手段における情報の表示の要否を判断し、当該判断結果を示す起動モード選択信号を出力する第２信号出力手段とを有し、前記第１サブシステムは、前記モード移行手段が当該情報処理装置を前記通常動作モードから前記省エネルギーモードに移行させるときに、当該情報処理装置に関する装置情報を前記メインシステムから取得する装置情報取得手段と、前記電源制御手段が供給する電力の電位を検出する電力検出手段と、前記第２信号出力手段が出力した前記起動モード選択信号を検出する第２信号検出手段と、前記電力検出手段が検出した電位及び前記第２信号検出手段が検出した前記起動モード選択信号に基づいて、前記表示手段における、前記装置情報取得手段が取得した前記装置情報を含む情報の表示を制御する表示制御手段とを有することを特徴とする。
【００２０】
請求項１２にかかる発明は、装置全体を制御するメインシステムと、通信制御線を介して前記メインシステムに接続されて前記メインシステムと通信して各種機能を実現させる少なくとも１つ以上のサブシステムとを備える情報処理装置であって、情報の表示を行う表示手段とを更に備え、前記サブシステムは、前記表示手段における情報の表示を制御する第１サブシステムを含む。前記メインシステムは、所定の条件に応じて、前記メインシステムと前記サブシステムとに対して所定の電力を供給する通常動作モードに当該情報処理装置を移行させる、又は、前記通常動作モードに移行した時よりも低位の電力を当該メインシステムと前記サブシステムとに対して供給する省エネルギーモードに当該情報処理装置を移行させるモード移行手段と、前記モード移行手段が当該情報処理装置を前記省エネルギーモードから前記通常動作モードに移行させる場合、その旨を示す電源制御信号を出力する第１信号出力手段と、前記モード移行手段が前記通常動作モードから省エネルギーモードから通常動作モードに移行させる場合、前記所定の条件に応じて、前記表示手段における情報の表示の要否を判断し、当該判断結果を示す表示制御信号を出力する第５信号出力手段とを有する。前記第１サブシステムは、前記モード移行手段が当該情報処理装置を前記通常動作モードから前記省エネルギーモードに移行させるときに、当該情報処理装置に関する装置情報を前記メインシステムから取得する装置情報取得手段と、前記第１信号出力手段が出力した前記電源制御信号を検出する第１信号検出手段と、前記第１信号検出手段が検出した前記電源制御信号に基づいて、前記装置情報取得手段が取得した前記装置情報を含む表示情報を前記表示手段に送信する表示制御手段とを有し、前記表示手段は、前記第５信号出力手段が出力した前記表示制御信号を検出し、当該表示制御信号に基づいて、前記表示制御手段が送信した前記表示情報を用いた表示又は非表示を選択的に行うことを特徴とする。
【００２１】
請求項１３にかかる発明は、請求項１２にかかる発明において、前記表示手段は、当該表示手段における情報の表示が必要である旨を前記表示制御信号が示す場合、前記表示制御手段が送信した前記表示情報を用いた表示を行うことを特徴とする。
【００２２】
請求項１４にかかる発明は、請求項１２にかかる発明において、前記表示手段は、当該表示手段における情報の表示が不要である旨を前記表示制御信号が示す場合、情報の表示を行わないことを特徴とする。
【００２３】
請求項１５にかかる発明は、請求項１又は請求項１２にかかる発明において、前記第１信号出力手段が前記電源制御信号を出力するための第１信号線を更に備えることを特徴とする。
【００２４】
請求項１６にかかる発明は、請求項１、請求項１１及び請求項１２のいずれか一項にかかる発明において、前記第２信号出力手段が前記起動モード選択信号を出力するための第２信号線を更に備えることを特徴とする。
【発明の効果】
【００２５】
本発明によれば、通常動作モードから省エネルギーモードに復帰する場合、表示手段における短時間での表示と、表示手段における不必要な表示の抑制とをより効果的に実現することができる。
【発明を実施するための最良の形態】
【００２６】
以下に添付図面を参照して、この発明にかかる情報処理装置の最良な実施の形態を詳細に説明する。以下の各実施の形態においては、情報処理装置の一例として画像形成装置を適用して説明する。
【００２７】
[第１の実施の形態]
＜画像形成装置の構成＞
図１は、本発明の第１の実施の形態にかかる画像形成装置の構成を示すブロック図である。画像形成装置１は、複数のユニットの組み合わせにより構成されており、各ユニットとして、メインシステム１０と、操作部制御システム１１と、画像処理システム１２と、Ｉ／Ｏ制御システム１３と、電源制御ユニット１４と、プロッタユニット１５と、スキャナユニット１６とから構成される。メインシステム１０は、画像形成装置１全体を制御する。また、メインシステム１０は、ネットワーク１７を介して他の装置とデータ通信を制御する。スキャナユニット１６は、光学系、走行体及び走行体を駆動するモータ（いずれも図示せず）などにより構成され、原稿面を走査し、画像データを取り込む。プロッタユニット１５は、作像システム、定着システム及び紙搬送システムなど、複数のアクチュエータ（いずれも図示せず）の組合せによりプリント機能を実現する。操作部制御システム１１は、利用者が各種指示を入力するための操作入力機能と、利用者に情報を提供する表示機能とを備える。画像処理システム１２は、スキャナユニット１６に取り込まれた画像データや、ネットワーク１７を介して受信された画像データに対して各種画像処理を行う。Ｉ／Ｏ制御システム１３は、スキャナユニット１６や、プロッタユニット１５のアクチュエータに対する信号の入出力を制御する。電源制御ユニット１４は、各ユニットに対してＤＣ電力を供給する。これらの操作部制御システム１１と、画像処理システム１２と、Ｉ／Ｏ制御システム１３と、電源制御ユニット１４と、プロッタユニット１５と、スキャナユニット１６とは、通信制御線１８によってメインシステム１０と接続される。メインシステム１０は、通信制御線１８により、操作部制御システム１１と、画像処理システム１２と、Ｉ／Ｏ制御システム１３と、電源制御ユニット１４と、プロッタユニット１５と、スキャナユニット１６とに対するコマンドを適宜送受信することにより、これらの各ユニットを制御する。尚、操作部制御システム１１と、画像処理システム１２と、Ｉ／Ｏ制御システム１３とは各々、メインシステム１０に対するサブシステムという。
【００２８】
＜メインシステム及び操作部制御システムの構成＞
図２はメインシステム１０及び操作部制御システム１１の内部構成を示すブロック図である。メインシステム１０と操作部制御システム１１とはコネクタ３４を介して接続される。メインシステム１０は、ＣＰＵ（Central Processing Unit）２０と、ＲＯＭ（Read Only Memory）２１と、ＲＡＭ（Random Access Memory）２２と、不揮発性メモリ（ＮＶ）２３と、ホスト(Host)２４とを有する。ＣＰＵ２０は、メインシステム１０全体を制御する。また、ＣＰＵ２０は、通信部(com)２０Ａと、Ｉ／Ｏポート２０Ｂとを有し、これらを介した各サブシステムとの通信を制御する。ＲＯＭ２１は、各種データやＣＰＵ２０が実行するための各種プログラムを記憶する。ＲＡＭ２２は、ＣＰＵ２０が各種プログラムを実行する際に各種データや各種プログラムを一時的に記憶する。ＮＶ２３は、画像形成装置１における各種初期値や各種設定値を記憶する。ホスト２４は、ＣＰＵ２０の通信部２０Ａと、操作部制御システム１１との間の通信制御線１８を介した通信を制御する。
【００２９】
操作部制御システム１１は、ＣＰＵ４０と、ＲＯＭ４１と、ＲＡＭ４２と、ＮＶ４３と、キー入力装置（ＫＥＹ）４４と、ＬＣＤ４５と、ソフトスイッチ４６とを有する。ＣＰＵ４０は、操作部制御システム１１全体を制御する。また、ＣＰＵ４０は、通信部４０Ａと、Ｉ／Ｏポート４０Ｂとを有し、これらを介したメインシステム１０との通信を制御する。ＲＯＭ４１は、各種データやＣＰＵ４０が実行するための各種プログラムを記憶する。ＲＡＭ４２は、ＣＰＵ４０が各種プログラムを実行する際に各種データや各種プログラムを一時的に記憶する。ＮＶ４３は、画像形成装置１における各種初期値や各種設定値を記憶する。また、ＮＶ４３は、ＬＣＤ４５に情報を表示させるためのＬＣＤモジュールなどの各種プログラムや画面データなどの各種表示用データを記憶する。ＫＥＹ４３及びＬＣＤ４５は、ユーザーインターフェースとして機能するものである。ＫＥＹ４３は、利用者が指示を入力するための操作ボタンや操作キーにより構成される。ＬＣＤ４５は、表示パネルであり、利用者に対して情報を表示する。ソフトスイッチ４６は、省エネルギーモードのオン/オフを制御するために、利用者によって操作されるスイッチであり、利用者の操作に応じて、省エネルギーモードへの移行のオン又はオフを示すスイッチ信号を信号線３６を介して出力する。このスイッチ信号は、メインシステム１０のＣＰＵ２０に入力される。
【００３０】
また、電源制御ユニット１４と、メインシステム１０のＣＰＵ２０と、操作部制御システム１１のＣＰＵ４０、ＲＡＭ４２及びＮＶ４３とは、電源供給線（Ｖｃｃ１）３１により接続される。電源供給線（Ｖｃｃ１）３１を介して電源制御ユニット１４からメインシステム１０のＣＰＵ２０と、操作部制御システム１１のＣＰＵ４０、ＲＡＭ４２及びＮＶ４３とに対して電源が供給される。また、電源制御ユニット１４と、操作部制御システム１１のＬＣＤ４５及びＫＥＹ４３との間には、電源供給線（Ｖｃｃ２）３０が接続される。電源制御ユニット１４と、メインシステム１０のＣＰＵ２０及び操作部制御システム１１のＣＰＵ４０との間には、以下に説明する起動モードに関連する電源制御信号が出力される信号線２５が接続される。
【００３１】
ここで、画像形成装置１の起動モードについて説明する。この画像形成装置１においては、その起動モードとして各々通電状態の異なる通常動作モード及び省エネルギーモードとの２つが主に設定される。通常動作モードは、コマンド、データなどの入力を受け、画像を形成する処理や、コマンドやデータなどの受信に応じた処理を即時実行可能な状態で待ち受けている状態である。省エネルギーモードは、画像形成装置１の消費電力をより低減させた待機状態である。通常動作モードにおける待機状態が全てのユニットに通電した状態であるのに対し、省エネルギーモードでは、コマンドやデータを受け付けるための最低限のユニットにのみ通電し、画像形成装置１の消費電力を低減させる。また、通常動作モードから省エネルギーモードへ移行した場合は、通信制御線１８を介した通信を遮断させ、省エネルギーモードから通常動作モードへ復帰した場合は、通信制御線１８を介した通信を復活させる。そして、本実施の形態の省エネルギーモードにおいては、メインシステム１０が所定の移行条件に基づいて省エネルギーモードへの移行を決定してその旨を示す指示コマンドを電源制御ユニット１４に対して送出する。電源制御ユニット１４は、当該指示コマンドに応じて、メインシステム１０、操作部制御システム１１に対してのみ電力供給を実行し、その他のユニットに対しては電力の供給を停止する。このような制御により、メインシステム１０におけるコマンドの待ち受けは可能であり、且つ、画像形成装置１の消費電力の低減を実現することができる。
【００３２】
このような構成において、メインシステム１０のＣＰＵ２０には、操作部制御システム１１のソフトスイッチ４６から信号線３６を介して出力されるスイッチ信号が入力される。ＣＰＵ２０は、当該スイッチ信号の変化を検出し、省エネルギーモードへの移行をオンにすることを当該スイッチ信号が示す場合、電源制御信号をＬｏｗにして信号線２５を介して電源制御ユニット１４に対して出力する。また、ＣＰＵ２０は、省エネルギーモードへの移行をオフにする、即ち、通常動作モードへ復帰することを当該スイッチ信号が示す場合、電源制御信号をＨｉｇｈにして信号線２５を介して電源制御ユニット１４に対して出力する。電源制御ユニット１４は、電源制御信号に応じて、通常動作モード又は省エネルギーモードに対応した電力の供給を行う。具体的には、通常動作モードでは、電源制御ユニット１４は、電源供給線（Ｖｃｃ１）３１及び電源供給線（Ｖｃｃ２）３０の両方において電力を供給する。尚、電源制御ユニット１４は、電源供給線（Ｖｃｃ１）３１においては所定電位以上の電力を供給し、電源供給線（Ｖｃｃ２）３０においては所定電位より低位の電力を供給する。一方、省エネルギーモードの場合、電源制御ユニット１４は、電源供給線（Ｖｃｃ１）３１における電力の供給を継続するが、電源供給線（Ｖｃｃ２）３０における電力の供給を遮断する。この結果、待機時に活性化が不要なユニットへの電力の供給を遮断することで、待機時における消費電力の低減を実現することができる。
【００３３】
また、メインシステム１０のＣＰＵ２０と、操作部制御システム１１のＣＰＵ４０との間には、起動モード選択信号が出力される信号線３２が接続される。ＣＰＵ２０は、省エネルギーモードから通常動作モードに復帰した時に、操作部制御システム１１のＬＣＤ４５における情報の表示が必要か否かを判断して、当該判断結果が肯定的である場合に、起動モード選択信号をｈｉｇｈにして信号線３２を介して出力する。
【００３４】
一方、操作部制御システム１１のＣＰＵ４０は、信号線２５において電源制御信号の状態を検出し、当該検出結果に応じて、省エネルギーモードからの復帰を検出する。更に、ＣＰＵ４０は、信号線３２において起動モード選択信号の状態を検出し、当該検出結果に応じて、ＬＣＤ４５における情報の表示が必要であるか否かを判断し、当該判断結果に応じて、表示処理を行う。
【００３５】
以上のように、本実施の形態においては、起動モード選択信号が出力される信号線３２及び電源制御信号が出力される信号線２５が、メインシステム１０と操作部制御システム１１との間のインターフェースに含まれている。
【００３６】
また、図２に示されるように、電源制御ユニット１４における電源のオン／オフを切り替えるためのＡＣスイッチ３５が備えられる。このＡＣスイッチ３５において電源オフに切り替えられると、電源供給線（Ｖｃｃ１）３１からの電力の供給も遮断させることができる。この場合の画像形成装置１において設定されるモードを、例えば、シャットダウンモードという。このシャットダウンモードは、画像形成装置１において設定されるモードのうち最も消費電力が小さいモードである。このシャットダウンモードにおいては、ＫＥＹ４３における操作入力、ソフトスイッチ４６における押下操作等の入力が発生した場合でも画像形成装置１は起動できないため、一般的には通常動作モード、もしくは省エネルギーモードで使用されることになる。
【００３７】
（２）動作
次に、まず、本実施の形態における基本的な起動処理について説明する。画像形成装置１のＡＣスイッチ３５がオンに操作されると、メインシステム１０、各サブシステム、プロッタユニット１５及びスキャナユニット１６に対して電源制御ユニット１４から電力が供給される。電源制御ユニット１４から電力が供給されると、メインシスム１０のＣＰＵ２０は、ＲＯＭ２１に格納されているプログラムに従ってメインシスム１０の初期化動作を開始する。一方、操作部制御システム１１のＣＰＵ４０は、電源制御ユニット１４から電力が供給されると、ＲＯＭ４１に格納されているプログラムに従って操作部制御システム１１の初期化動作を開始する。そして、操作部制御システム１１のＣＰＵ４０は、自身の初期化動作が完了すると、メインシステム１０からの通信開始を待つ待機状態に入る。
【００３８】
メインシステム１０のＣＰＵ２０は、自身の初期化動作が完了すると、通信制御線１８を介した通信を確立すべく、通信開始手順を実行し、操作部制御システム１１に対して通信コマンドを送信する。そして、ＣＰＵ２０は、操作部制御システム１１が起動し、通信コマンドに対する操作部制御システム１１からの応答があった場合、各種設定情報や動作コマンドを操作部制御システム１１に対して送信する。このようにして、メインシステム１０のＣＰＵ２０は、通常動作モードにおける起動を行う。その後、画像形成装置１は、利用者からの操作入力やネットワーク１７を介したデータの受信などを待機する。
【００３９】
＜省エネルギーモードへの移行処理＞
次に、通常動作モードから省エネルギーモードへの移行処理について説明する。図３は、通常動作モードから省エネルギーモードへの移行処理の手順を示すフローチャートである。
【００４０】
画像形成装置１は、上述のようにして、通常動作モードで起動した後、所定の移行条件が成立した場合、省エネルギーモードに移行する。具体的には、メインシステム１０のＣＰＵ２０は、所定の移行条件が成立したとき（ステップＳ１）、省エネルギーモードに移行することを決定し、その旨を示す省電力移行通知をサブシステム（操作部制御システム１１、画像処理システム１２、Ｉ／Ｏ制御システム１３）に対して送信する（ステップＳ２）。尚、所定の移行条件とは、例えば、一定時間、ＫＥＹ４３における操作入力が無いこと、ソフトスイッチ４６が押下操作されたことなどである。この所定の移行条件は、例えば、メインシステム１０のＲＯＭ２１に予め記憶されている。各サブシステムは、自身が保持する制御パラメータを退避させる。各サブシステムは、処理過程にあるプロセスが存在する場合、省エネルギーモードへの移行を了解する旨を示す移行了解通知の送信を保留し、省エネルギーモードに移行することを拒絶することができる。尚、ここでは、サブシステムとして操作部制御システム１１の動作について詳述する。操作部制御システム１１のＣＰＵ４０は、制御パラメータを退避させ（ステップＳ２）、全てのプロセスの実行が完了し、省エネルギーモードに移行可能となった場合、画像形成装置１の状態に関する装置情報の転送要求をメインシステム１０のＣＰＵ２０に対して送信する（ステップＳ４）。メインシステム１０のＣＰＵ２０は、当該転送要求を受信すると、当該要求に従って、当該ＣＰＵ２０が保持している装置情報を操作部制御システム１１に送信する（ステップＳ５）。装置情報とは、ＮＶ２３に記憶されている各種設定値などの全部又は一部であり、例えば、画像形成装置１において収容されている紙の枚数や、周辺機器の接続状態などである。ＣＰＵ４０は、ＣＰＵ２０から最新の装置情報を受信すると（ステップＳ６：ＹＥＳ）、当該装置情報をＲＡＭ４２に記憶させる（ステップＳ７）。この装置情報は、省エネルギーモードから通常動作モードへの復帰時に、ＬＣＤ４５に情報を表示するための表示データを生成する際の基本情報として使用される。尚、当該装置情報をＮＶ４３に記憶させるようにしても良い。その後、ＣＰＵ４０は、ＣＰＵ２０に対して移行了解通知を送信し（ステップＳ８）、次いで、メインシステム１０との間の通信制御線１８に対するドライブを停止すると共に、自身をサスペンド状態にして省エネルギーモードに移行する（ステップＳ９）。
【００４１】
一方、メインシステム１０のＣＰＵ２０は、全てのサブシステムから移行了解通知を受信すると（ステップＳ１０：ＹＥＳ）、省電力に移行する旨を示す電源停止コマンドを電源制御ユニット１４に対して送信し（ステップＳ１１）、画像形成装置１全体を省エネルギーモードに移行させる（ステップＳ１２）。この結果、電源制御ユニット１４から画像処理システム１２、Ｉ／Ｏ制御システム１３、プロッタユニット１５及びスキャナユニット１６に対して供給されていた電力及び電源供給線（Ｖｃｃ２）３０を介して操作部制御システム１１のＫＥＹ４３及びＬＣＤ４５に対して供給されていた電力が遮断される。このとき、信号線２５から出力される電源制御信号及び信号線３２を介して出力される起動モード選択信号はＬｏｗレベルに保持される。また、電源供給線（Ｖｃｃ１）３１を介した電力の供給は遮断されず、従って、操作部制御システム１１のＲＡＭ４２に対する通電は継続されるため、ステップＳ７でＲＡＭ４２に記憶させた装置情報は省エネルギーモード中にも正常に保存される。
【００４２】
以上のようにして、画像形成装置１は、通常動作モードから省エネルギーモードに移行する。
【００４３】
＜省エネルギーモードからの復帰処理：メインシステム＞
次に、省エネルギーモードに移行した画像形成装置１が、通常動作モードに復帰する処理の手順について説明する。まず、メインシステム１０における処理の手順について説明する。図４は、メインシステム１０において省エネルギーモードから復帰する処理の手順を示すフローチャートである。
【００４４】
ここで、例えば、メインシステム１０のＣＰＵ２０は、所定の復帰条件が成立したとき(ステップＳ２０)、省エネルギーモードから通常動作モードへの復帰を決定する。所定の復帰条件が成立する場合とは、例えば、ソフトスイッチ４６の押下により、省エネルギーモードへの復帰を指示する省電力信号がソフトスイッチ４６から出力され、メインシステム１０のＣＰＵ２０に入力された場合などである。この所定の復帰条件は、例えば、メインシステム１０のＲＯＭ２１に予め記憶されている。また、所定の復帰条件は、例えば、ネットワーク１７を介してデータを受信する場合などである。次いで、ＣＰＵ２０は、ＬＣＤ４５における情報の表示が必要であるか否かを判断する(ステップＳ２１)。ＬＣＤ４５における情報の表示が必要であるか否かは、例えば、所定の復帰条件により判断する。例えば、所定の復帰条件の成立が、ソフトスイッチ４６の押下によるものである場合、ＬＣＤ４５における情報の表示が必要であると判断する。また、所定の復帰条件の成立が、例えば、ネットワーク１７を介したデータを受信する場合、ＬＣＤ４５における情報の表示は不要であると判断する。ステップＳ２１の判断結果が肯定的である場合、ＣＰＵ２０は、起動モード選択信号をＨｉｇｈにして信号線３２を介して出力する(ステップＳ２２)。ステップＳ２１の判断結果が否定的である場合、ＣＰＵ２０は、起動モード選択信号をＬｏｗにして信号線３２を介して出力する(ステップＳ２３)。そして、ＣＰＵ２０は、電源制御信号をＨｉｇｈにして信号線２５を介して出力する(ステップＳ２４)。次いで、ＣＰＵ２０は、ＨＯＳＴ２４及び通信制御線１８を介した操作部制御システム１１のＣＰＵ４０との間の通信を確立すべく、通信制御処理を開始する(ステップＳ２５)。
【００４５】
＜省エネルギーモードからの復帰処理：操作部制御システム＞
次に、操作部制御システム１１において省エネルギーモードから通常動作モードに復帰する処理の手順について説明する。図５は、操作部制御システム１１において省エネルギーモードから復帰する処理の手順を示すフローチャートである。
【００４６】
操作部制御システム１１においては、省エネルギーモードであるとき、電源供給線（Ｖｃｃ２）３０を介した電力の供給が停止されている。このため、ＬＣＤ４５及びＫＥＹ４３においてはその機能が停止されている。
【００４７】
操作部制御システム１１のＣＰＵ４０は、信号線２５における電源制御信号がＬｏｗからＨｉｇｈに変化したことを検出すると（ステップＳ４０）、ＮＶ４３に記憶されたＬＣＤモジュールを初期化する(ステップＳ４１)。次いで、ＣＰＵ４０は、信号線３２における起動モード選択信号の状態を検出する（ステップＳ４２）。ＣＰＵ４０は、起動モード選択信号がＨｉｇｈであることを検出した場合（ステップＳ４２：ＹＥＳ）、ＬＣＤ４５における情報の表示を行うと判断する。そして、ＣＰＵ４０は、ＲＯＭ４１に記憶されたデータ、ＲＡＭ４２に記憶された装置情報及びＮＶ４３に記憶された各種表示用データを読み出し、これらを用いて表示データを生成し、当該表示データをＬＣＤ４５に転送する（ステップＳ４３）。ＬＣＤ４５は当該表示データを用いて表示を行う。そして、ＣＰＵ４０は、メインシステム１０との間の通信制御線１８を介した通信が確立されるのを待機する（ステップＳ４４）。尚、ステップＳ４２の判断結果が否定的である場合、ＣＰＵ４０は、ＬＣＤ４５における情報の表示を行わないと判断し、ステップＳ４４に進む。
【００４８】
以上のようにして、操作部制御システム１１は、省エネルギーモードから通常動作モードへの復帰時に、電源制御信号の状態及び起動モード選択信号の状態を各タイミングで検出し、各状態に応じて、ＬＣＤ４５における情報の表示を実現させる。また、このときＬＣＤ４５に表示させる装置情報を、省エネルギーモードへの移行時に操作部制御システム１１に予め記憶させる。このような構成によれば、メインシステムと操作部制御システム１１との間の通信制御線１８を介した通信が確立し、メインシステム１０との間でコマンドの送受信を開始するよりも早くＬＣＤ４５に情報を表示することが可能になり、より短時間で利用者に対してサービスを開始することができる。また一方で、ＬＣＤ４５における不要な表示を抑制することができ、消費電力をより効果的に低減させることができる。
【００４９】
[第２の実施の形態]
次に、画像形成装置の第２の実施の形態について説明する。なお、上述の第１の実施の形態と共通する部分については、同一の符号を使用して説明したり、説明を省略したりする。
【００５０】
（１）構成
図６は、本実施の形態にかかるメインシステム１０及び操作部制御システム１１の内部構成を示すブロック図である。本実施の形態にかかるメインシステム１０及び操作部制御システム１１の内部構成は、上述の第１の実施の形態にかかるものとは以下の点で異なる。上述の第１の実施の形態においては、電源制御信号により操作部制御システム１１は、省エネルギーモードから通常動作モードへの復帰を検出したが、本実施の形態においては、操作部制御システム１１自体が、電源供給線（Ｖｃｃ２）３０から供給される電力を監視することにより、省エネルギーモードから通常動作モードへの復帰を検出する。操作部制御システム１１において電源供給線（Ｖｃｃ２）３０から供給される電力を監視する。この電力を監視するため、操作部制御システム１１はＡＤＣ（Analog to Digital Converter）４７を備える。ＡＤＣ４７は、電源供給線（Ｖｃｃ２）３０から供給される電力を電位を検出し、当該電位（アナログ値）を、デジタル値に変換する。ＣＰＵ４０は、ＡＤＣ４７で検出された電位に応じて、省エネルギーモードから通常動作モードへの復帰を判断する。また、操作部制御システム１１のＣＰＵ４０には、信号線２５は接続されない。即ち、ＣＰＵ４０には電源制御信号は入力されない。尚、本実施の形態においては、メインシステム１０のＣＰＵ２０は、Ｉ／Ｏポート２０Ｂを備えない構成であるが、上述の第１の実施の形態と同様にこれを備える構成であっても良い。
【００５１】
（２）動作
図７は、操作部制御システム１１において省エネルギーモードから復帰する処理の手順を示すフローチャートである。操作部制御システム１１のＣＰＵ４０は、ＡＤＣ４７で検出された電位が基準電位以上であることを検出した場合(ステップＳ５０)、省エネルギーモードから通常動作モードに復帰したと判断し、上述の図５で説明したステップＳ４１の処理を行う。以降は、上述の第１の実施の形態と同様である。
【００５２】
以上のような構成によれば、操作部制御システム１１に信号線２５を接続させることがないため、メインシステム１０と操作部制御システム１１との間の信号線の数を低減させることが可能となり、より廉価に画像形成装置を構成することが可能となる。
【００５３】
尚、操作部制御システム１１において、電源供給線（Ｖｃｃ２）３０から供給される電力の電位を検出する方法として、画像形成装置１に電源監視ＩＣを備え、電源供給線（Ｖｃｃ２）３０から電源監視ＩＣに電力を供給して、当該電源監視ＩＣから信号を出力し、汎用ポートにおいて当該信号を監視する方法を採用しても良い。
【００５４】
[第３の実施の形態]
次に、画像形成装置の第３の実施の形態について説明する。なお、上述の第１の実施の形態と共通する部分については、同一の符号を使用して説明したり、説明を省略したりする。
【００５５】
上述の第１の実施の形態においては、操作部制御システム１１のＣＰＵ４０は、図５のステップＳ４２で起動モード選択信号を一度検出するのみであった。しかし、本実施の形態においては、操作部制御システム１１とメインシステム１０との間の通信制御線１８を介した通信が確立されるまでは、ＣＰＵ４０は、起動モード選択信号を常に監視する。ＣＰＵ４０が起動モード選択信号を常に監視することにより、以下のような効果を得られるからである。メインシステム１０のＣＰＵ２０は、図４のステップＳ２０で複数の復帰条件の成立したとき、当該復帰条件によりＬＣＤ４５における情報の表示の要否を判断するが、復帰条件の違いにより、当該判断結果が異なる場合がある。この場合、ＣＰＵ２０は、当該判断結果に応じて、その都度、起動モード選択信号をＨｉｇｈ又はＬｏｗに変更する。このように起動モード選択信号が変化する可能性があるため、操作部制御システム１１のＣＰＵ４０は、起動モード選択信号を一度検出した後も、起動モード選択信号を常に監視することにより、ＬＣＤ４５における情報の表示の要否をより適切に判断することができる。しかし、メインシステム１０との間の通信制御線１８を介した通信が確立された後は、当該通信制御線１８を介してＬＣＤ４５における情報の表示に関する通信が可能になるため、起動モード選択信号の監視は不要になる。従って通信の確立後は、操作部制御システム１１のＣＰＵ４０は、起動モード選択信号の監視を停止する。
【００５６】
図８は、本実施の形態の操作部制御システム１１において省エネルギーモードから通常動作モードに復帰する処理の手順を示すフローチャートである。操作部制御システム１１のＣＰＵ４０は、上述の図５に示した処理の手順と同様のステップＳ４０〜Ｓ４４の後、メインシステム１０との間の通信制御線１８を介した通信が確立されたとき(ステップＳ４６：ＹＥＳ)、起動モード選択信号の監視を停止し、メインシステム１０のＣＰＵ４０からのコマンドを待機するコマンド待機状態に移行する(ステップＳ４７)。
【００５７】
このような構成によれば、ＬＣＤ４５においてより短時間で表示をより適切に行うことができると共に、ＬＣＤ４５における不要な表示をより適切に抑制することができる。更に、メインシステム１０との間の通信制御線１８を介した通信が確立された後に、操作部制御システム１１が起動モード選択信号の監視を停止することで、操作部制御システム１１の処理負担を軽減することができ、より高速な表示制御や、通信確立後の高速なコマンド応答を実現することができる。この結果、利用者の利便性を向上させることが可能となる。
【００５８】
[第４の実施の形態]
次に、画像形成装置の第４の実施の形態について説明する。なお、上述の第１の実施の形態及び第３の実施の形態と共通する部分については、同一の符号を使用して説明したり、説明を省略したりする。
【００５９】
本実施の形態においては、操作部制御システム１１は、省エネルギーモードから通常動作モードへの復帰時にＬＣＤ４５における情報の表示が必要であると判断した場合、更に、画像形成装置１の状態に変更があった可能性があるか否かを判断し、当該判断結果に応じてＬＣＤ４５における情報の表示を行う。ここで、画像形成装置１の状態に変更があったか否かを判断する構成として、操作部制御システム１１は、遮断検出回路を備える。図９は、遮断検出回路の構成を例示する図である。同図に示される遮断検出回路５０は、リセットＩＣ(Reset IC)５１と、フリップフロップ回路５２と、フリップフロップ回路５３とを含み、ＣＰＵ４０のＩ／Ｏポート４０Ｂと接続されて構成される。この遮断検出回路５０においては、電源供給線（Ｖｃｃ１）３１から所定電位以上の電力が供給されると、リセットＩＣ５１によりフリップフロップ回路５２，５３がリセットされ、フリップフロップ回路５３から、Ｌｏｗにセットされた機器ステータス信号が信号線５５を介して出力される。そして、通電後、ＣＰＵ４０のＩ／Ｏポート４０Ｂから信号線５４を介して出力するセット信号をＬｏｗからＨｉｇｈ、ＨｉｇｈからＬｏｗ、ＬｏｗからＨｉｇｈと切り替えることでフリップフロップ回路５３がＨｉｇｈにセットされ、フリップフロップ回路５３から信号線５５を介して出力される機器ステータス信号がＨiｇｈに切り替わる。この後、電源供給線（Ｖｃｃ１）３１からの電力の供給が遮断されない限り、機器ステータス信号はＨｉｇｈに保持される。従ってこの機器ステータス信号によりＣＰＵ４０は電源供給線（Ｖｃｃ１）３１からの電力の供給の遮断を検出することができる。
【００６０】
尚、電源供給線（Ｖｃｃ１）３１からの電力の供給が遮断される場合とは、利用者がＡＣスイッチ３５により電源オフの状態に切り替えた場合である。従って、この場合に、機器ステータス信号はＬｏｗとなり、それ以外の場合、機器ステータス信号は常にＨｉｇｈとなる。尚、ここで、電源供給線（Ｖｃｃ１）３１からの電力の供給が遮断されたか否かを検出するのは以下の理由による。電源供給線（Ｖｃｃ１）３１からの電力の供給が遮断される場合というのは、例えば、画像形成装置１を構成する構成部品が交換されたり取り外されたり追加されたりする場合がある。この場合、画像形成装置１の装置情報が変更される可能性があるからである。即ち、この場合に、上述の図３におけるステップＳ６で操作部制御システム１１のＣＰＵ４０がＣＰＵ２０から受信した装置情報が、省エネルギーモードから通常動作モードへの復帰時における装置情報と異なる可能性がある。この可能性がある場合に、上述の図５におけるステップＳ４３で当該装置情報を用いて生成した表示データによりＬＣＤ４５において情報を表示することになれば、不正確な情報を利用者に提供してしまう恐れがあるからである。従って、本実施の形態においては、電源供給線（Ｖｃｃ１）３１からの電力の供給が遮断されたか否かにより、装置情報の変更の可能性があるか否かを判断する。これを判断するために上述の機器ステータス信号を用いる。操作部制御システム１１のＣＰＵ４０は、この機器ステータス信号により装置情報の変更の可能性があると判断した場合、上述の図３のステップＳ７でＲＡＭ４２に記憶した装置情報を用いずに、ＬＣＤ４５に表示を行う。
【００６１】
（２）動作
次に、本実施の形態における操作部制御システム１１において省エネルギーモードから復帰する処理の手順について説明する。図１０は、操作部制御システム１１において省エネルギーモードから復帰する処理の手順を示すフローチャートである。
【００６２】
操作部制御システム１１のＣＰＵ４０は、信号線２５における電源制御信号がＬｏｗからＨｉｇｈに変化したことを検出すると（ステップＳ４０）、次いで、信号線３２における起動モード選択信号の状態を検出する（ステップＳ４２）。ＣＰＵ４０は、起動モード選択信号がＨｉｇｈであることを検出した場合（ステップＳ４２：ＹＥＳ）、ＬＣＤ４５における情報の表示を行うと判断し、ＮＶ４３に記憶されたＬＣＤモジュールを初期化する(ステップＳ４１)。次に、ＣＰＵ４０は、遮断検出回路５０における機器ステータス信号の状態を検出する(ステップＳ５０)。機器ステータス信号がＨｉｇｈである場合（ステップＳ５０：ＹＥＳ）、ＣＰＵ４０は、画像形成装置１の状態が変更されている可能性はないと判断して、ＲＯＭ４１に記憶されたデータ、ＲＡＭ４２に記憶された装置情報及びＮＶ４３に記憶された各種表示用データを読み出し(ステップＳ５１)、これらを用いて表示データを生成し、当該表示データをＬＣＤ４５に転送する（ステップＳ４３）。ＬＣＤ４５は当該表示データを用いて表示を行う。
【００６３】
一方、機器ステータス信号がＬｏｗである場合（ステップＳ５０：ＮＯ）、ＣＰＵ４０は、画像形成装置１の状態が変更されている可能性があると判断して、ＲＯＭ４１に記憶されたデータ及びＮＶ４３に記憶された各種表示用データを読み出し、これらを用いて表示データを生成し、当該表示データをＬＣＤ４５に転送する（ステップＳ５２）。ＬＣＤ４５は当該表示データを用いて表示を行う。即ち、ここでは、ＣＰＵ４０は、ＲＡＭ４２に記憶された装置情報を用いずに表示データを生成する。従ってこの場合、ＬＣＤ４５においては装置情報が表示されない。
【００６４】
ステップＳ４３及びステップＳ５２の後、ステップＳ４４に進む。以降の処理は図８に示したものと同様であるためその説明は省略する。ステップＳ４２の判断結果が否定的である場合についても同様である。
【００６５】
以上のような構成によれば、操作部制御システム１１は、ＬＣＤ４５においてより短時間で表示を行うことができると共に、ＬＣＤ４５における不要な表示を抑制することができる。更に、画像形成装置１の状態に変更されている可能性がある場合には、装置情報をＬＣＤ４５において表示させないことで、不正確な情報の提供を防止することができる。この場合、操作部制御システム１１は、最新の装置情報を、メインシステム１０との間の通信制御線１８を介した通信が確立された後に、当該通信制御線１８を介して取得すれば良い。この場合、例えば、メインシステム１０が、画像形成装置１の状態の変更時に装置情報を更新して、これを操作部制御システム１１に送信するようにする。又は、操作部制御システム１１が、最新の装置情報をメインシステム１０に対して要求するようにしても良い。この結果、利用者に対して常に正確な情報を提供することができる。
【００６６】
[第５の実施の形態]
次に、画像形成装置の第５の実施の形態について説明する。なお、上述の第１の実施の形態と共通する部分については、同一の符号を使用して説明したり、説明を省略したりする。
【００６７】
図１１は、本実施の形態にかかる画像形成装置１´の構成を示すブロック図である。画像形成装置１´は、ユーザ認証システム１９Ａをサブシステムとして有する。ユーザ認証システム１９Ａは、通信線１９Ｃを介してメインシステム１０と接続される。操作部制御システム１１と、メインシステム１０及びユーザ認証システム１９Ａとの間には論理回路１９Ｄが備えられる。また、画像形成装置１´は、図示しないカードスロット及びカードリーダを備える。ユーザ認証システム１９Ａは、カードスロットに認証カード１９Ｂが装着されると、メインシステム１０に対して通信線１９Ｃを介して起動信号を出力する。この起動信号により画像形成装置１の起動を要求することができる。メインシステム１０は、当該起動信号を検出すると、通信線１９Ｃを介してユーザ認証システム１９Ａとコマンドの送受信を行う。ユーザ認証システム１９Ａは、メインシステム１０から送信されるコマンドに従い、認証カード１９Ｂに記憶されている情報をカードリーダにより読み出し、当該情報をメインシステム１０に送信する。この結果、メインシステム１０において、当該情報を用いたユーザ認証を行うことが可能になる。
【００６８】
また、ユーザ認証システム１９Ａは、上述の起動信号の出力と共に、ＬＣＤ４５にユーザ認証画面などの表示を行わせるべく、起動モード選択信号をＨｉｇｈにして論理回路１９Ｄを介して出力する。一方、メインシステム１０も、上述の第１の実施の形態と同様にして、省エネルギーモードから通常動作モードへの復帰時に、ＬＣＤ４５における情報の表示が必要であると判断した場合、起動モード選択信号をＨｉｇｈにして出力する。このとき、メインシステム１０は、この起動モード選択信号を論理回路１９Ｄを介して出力する。論理回路１９Ｄは、双方の起動モード選択信号の論理和による信号を操作部制御システム１１に出力する。従って、例えば、メインシステム１０から出力された起動モード選択信号がＬｏｗであっても、ユーザ認証システム１９Ａから出力された起動モード選択信号がＨｉｇｈである場合、操作部制御システム１１に対してＨｉｇｈの起動モード選択信号が出力される。そして、上述の図４で説明したステップＳ２２では、操作部制御システム１１のＣＰＵ４０は、上述の第１の実施の形態と同様にして起動モード選択信号を検出し、当該起動モード選択信号に基づいて、ＬＣＤ４５における情報の表示の要否を判断する。
【００６９】
以上のように、ユーザ認証システム１９Ａなどのサブシステムからメインシステム１０を起動させる場合、このサブシステムから起動モード選択信号を操作部制御システム１１に対して出力することにより、従来のように、メインシステム１０が起動した後サブシステムとの間の通信を確立させ、その後に、サブシステムによる起動である旨を操作部制御システム１１に通知すると共に操作部制御システム１１にコマンドによりＬＣＤ４５における情報の表示を指示する場合に比べて、操作部制御システム１１においてＬＣＤ４５における情報の表示を迅速に開始することができ、利用者の利便性を向上させることができる。
【００７０】
[第６の実施の形態]
次に、画像形成装置の第６の実施の形態について説明する。なお、上述の第５の実施の形態と共通する部分については、同一の符号を使用して説明したり、説明を省略したりする。
【００７１】
上述の第５の実施の形態においては、メインシステム１０以外のサブシステムから起動モード選択信号が出力される構成について説明した。このような構成においては、操作部制御システム１１のＣＰＵ４０が検出する起動モード選択信号の状態は、ＬｏｗからＨｉｇｈに変化しうる。このため、本実施の形態においては、ＣＰＵ４０は、操作部制御システム１１とメインシステム１０との間の通信制御線１８を介した通信が確立された後も、起動モード選択信号の状態を常に監視する。
【００７２】
図１２は、本実施の形態における操作部制御システム１１において省エネルギーモードから復帰する処理の手順を示すフローチャートである。操作部制御システム１１のＣＰＵ４０は、上述の図５又は図８において説明したように、省エネルギーモードから通常動作モードに復帰時に、ステップＳ４０〜Ｓ４２の処理を行う。そして、ステップＳ４２で検出した起動モード選択信号がＨｉｇｈである場合には、ステップＳ４３に進み、その後、上述の図８で説明したステップＳ４４，Ｓ４７に進む。一方、ステップＳ４２で検出した起動モード選択信号がＬｏｗである場合には、ＣＰＵ４０は、ステップＳ４５で、表示制御を停止した後、ステップＳ４２に進む。即ち、起動モード選択信号がＬｏｗである場合には、ＣＰＵ４０は、起動モード選択信号を監視する。
【００７３】
このような構成によれば、省エネルギーモードから通常動作モードに復帰時に、Ｈｉｇｈの電源制御信号を検出した直後に検出した起動モード選択信号によって、ＬＣＤ４５における情報の表示の要否を判断することが可能であると共に、メインシステム１０との間の通信制御線１８を介した通信が確立された後に、メインシステム１０からＬＣＤ４５における情報の表示の要否に関するコマンドを通信可能であり、このコマンドによりＬＣＤ４５における情報の表示の要否を判断することが可能である。即ち、ＬＣＤ４５における情報の表示の要否を操作部制御システム１１が判断する要因として、起動モード選択信号と、通信制御線１８を介したメインシステム１０からのコマンドとの２つが存在する。このうち起動モード選択信号は、メインシステム１０以外のサブシステムも出力可能であるため、起動モード選択信号と、コマンドとで、ＬＣＤ４５における情報の表示の要否が異なる可能性がある。このような構成において、例えば、操作部制御システム１１のＣＰＵ４０は、メインシステム１０からのコマンドによりＬＣＤ４５における情報の表示が不要であると判断して、表示制御を停止している場合であっても、起動選択モード信号の監視を継続することで、他のサブシステムからの表示要求に応じた起動モード選択信号によりその判断を覆して、ＬＣＤ４５における情報の表示を開始可能である。即ち、このような構成によれば、メインシステム１０以外のサブシステムからの表示要求をリアルタイムで検出可能であり、サブシステムに起因する起動後タイムラグを最小限に抑えて表示制御を実行することが可能となる。
【００７４】
[第７の実施の形態]
次に、画像形成装置の第７の実施の形態について説明する。なお、上述の第１の実施の形態と共通する部分については、同一の符号を使用して説明したり、説明を省略したりする。
【００７５】
（１）構成
図１３はメインシステム１０及び操作部制御システム１１の内部構成を示すブロック図である。本実施の形態においては、図１に示した信号線３２を備えず、メインシステム１０のＣＰＵ２０と操作部制御システム１１のＬＣＤ４５とが信号線６１より直接接続される。ＣＰＵ２０は、省エネルギーモードから通常動作モードへの復帰時に、上述と同様にして、復帰条件に応じて、ＬＣＤ４５における情報の表示の要否を判断して、当該判断結果が肯定的である場合には、表示制御信号をＨｉｇｈにして信号線６１を介して出力し、当該判断結果が否定的である場合、表示制御信号をＬｏｗにして信号線６１を介して出力する。
【００７６】
（２）動作
次に、メインシステム１０において省エネルギーモードから通常動作モードへ復帰する処理について説明する。図１４は、メインシステム１０において省エネルギーモードから通常動作モードへ復帰する処理の手順を示すフローチャートである。
【００７７】
メインシステム１０のＣＰＵ２０は、上述の図４で示した処理の手順と同様に、ステップＳ２０〜Ｓ２１の処理を行う。そして、ステップＳ２１の判断結果が肯定的である場合、ＣＰＵ２０は、表示制御信号をＨｉｇｈにして信号線６１を介して出力する(ステップＳ６０)。ステップＳ２１の判断結果が否定的である場合、ＣＰＵ２０は、表示制御信号をＬｏｗにして信号線６１を介して出力する(ステップＳ６１)。以降の処理は上述の第１の実施の形態と同様であるため、その説明を省略する。
【００７８】
次に、本実施の形態における操作部制御システム１１において省エネルギーモードから復帰する処理の手順について説明する。図１５は、操作部制御システム１１において省エネルギーモードから復帰する処理の手順を示すフローチャートである。本実施の形態においては、操作部制御システム１１のＣＰＵ４０は、図５に示した処理の手順と同様に、ステップＳ４０〜Ｓ４１の処理を行う。その後、ステップＳ４３に進む。即ち、ここでは、ＣＰＵ４０は、ＬＣＤ４５における情報の表示の要否を判断せず、表示データを生成しこれをＬＣＤ４５に送信する。一方、ＬＣＤ４５は、メインシステム１０から信号線６１を介して出力された上述の表示制御信号の状態を検出し、当該表示制御信号の状態がＨｉｇｈである場合には、ＣＰＵ４０から送信された表示データを用いてＬＣＤ４５に表示を行う。表示制御信号がＬｏｗである場合には、ＬＣＤ４５は、ＣＰＵ４０から送信された表示データを用いず、表示を行わない。以降の処理は上述の第１の実施の形態と同様である。
【００７９】
以上のようにして、表示制御信号をＨｉｇｈにすることでＬＣＤ４５における情報の表示機能をイネーブルにし、表示制御信号をＬｏｗにすることでＬＣＤ４５における情報の表示機能をディセーブルする。この結果、操作部制御システム１１のＣＰＵ４０が、ＬＣＤ４５における情報の表示の要否を判断する必要がなくなり、また、起動モード選択信号を定期的に監視する必要がなくなる。従って、操作部制御システム１１におけるソフトウェア規模の小型化と制御負荷の軽減が可能となり、より廉価な構成を実現することができる。
【００８０】
（変形例）
また、上述した各実施の形態に限定されるものではなく、以下に例示するような種々の変形が可能である。
【００８１】
＜変形例１＞
上述の第１〜第７の実施の形態における各構成を少なくとも２つ以上組み合わせて画像形成装置１を構成するようにしても良い。
【産業上の利用可能性】
【００８２】
以上のように、本発明にかかる情報処理装置は、表示手段に情報を表示させる情報処理装置に用いて好適である。
【図面の簡単な説明】
【００８３】
【図１】本発明の第１の実施の形態にかかる画像形成装置の構成を示すブロック図である。
【図２】同実施の形態にかかるメインシステム１０及び操作部制御システム１１の内部構成を示すブロック図である。
【図３】同実施の形態にかかる省エネルギーモードへの移行処理の手順を示すフローチャートである。
【図４】同実施の形態にかかるメインシステム１０において省エネルギーモードから復帰する処理の手順を示すフローチャートである。
【図５】同実施の形態にかかる操作部制御システム１１において省エネルギーモードから復帰する処理の手順を示すフローチャートである。
【図６】本発明の第２の形態にかかるメインシステム１０及び操作部制御システム１１の内部構成を示すブロック図である。
【図７】同実施の形態にかかる操作部制御システム１１において省エネルギーモードから復帰する処理の手順を示すフローチャートである。
【図８】本発明の第３の実施の形態にかかる操作部制御システム１１において省エネルギーモードから復帰する処理の手順を示すフローチャートである。
【図９】本発明の第４の実施の形態にかかる遮断検出回路の構成を例示する図である。
【図１０】同実施の形態にかかる操作部制御システム１１において省エネルギーモードから復帰する処理の手順を示すフローチャートである。
【図１１】本発明の第５の実施の形態にかかる画像形成装置１´の構成を示すブロック図である。
【図１２】本発明の第６の実施の形態にかかる操作部制御システム１１において省エネルギーモードから復帰する処理の手順を示すフローチャートである。
【図１３】本発明の第７の実施の形態にかかるメインシステム１０及び操作部制御システム１１の内部構成を示すブロック図である。
【図１４】同実施の形態にかかるメインシステム１０において省エネルギーモードから通常動作モードへ復帰する処理の手順を示すフローチャートである。
【図１５】同実施の形態にかかる操作部制御システム１１において省エネルギーモードから復帰する処理の手順を示すフローチャートである。
【符号の説明】
【００８４】
１０  メインシステム
１１  操作部制御システム（第１サブシステム）
１２  画像処理システム
１３  Ｉ／Ｏ制御システム
１４  電源制御ユニット（電源制御手段）
１５  プロッタユニット
１６  スキャナユニット
１７  ネットワーク
１８  通信制御線
１９Ａ  ユーザ認証システム（第２サブシステム、第４信号出力手段）
１９Ｂ  認証カード
１９Ｃ  通信線
１９Ｄ  論理回路
２０  ＣＰＵ（モード移行手段、第１信号出力手段、第２信号出力手段、第５信号出力手段）
２０Ａ  通信部(ｃｏｍ)
２０Ｂ  Ｉ／Ｏポート
２１  ＲＯＭ
２２  ＲＡＭ
２３  不揮発性メモリ(ＮＶ)
２４  ホスト(ｈｏｓｔ)（通信制御手段）
２５  信号線（第１信号線）
３１  電源供給線
３２  信号線（第２信号線）
３４  コネクタ
３５  ＡＣスイッチ
３６  信号線
４０  ＣＰＵ（第１信号検出手段、第２信号検出手段、第３信号検出手段、表示制御手段）
４０Ａ  通信部(ｃｏｍ)
４０Ｂ  Ｉ／Ｏポート
４１  ＲＯＭ
４２  ＲＡＭ(記憶手段)
４３  不揮発性メモリ(ＮＶ)(記憶手段)
４４  キー入力装置（ＫＥＹ）
４５  ＬＣＤ（表示手段）
４６  ソフトスイッチ
５０  遮断検出回路（第３信号出力手段）
５１  リセットＩＣ
５２  フリップフロップ回路
５３  フリップフロップ回路
５４  信号線
５５  信号線
６１  信号線
【図１】
2008229990.tif 000003
【図２】
2008229990.tif 000004
【図３】
2008229990.tif 000005
【図４】
2008229990.tif 000006
【図５】
2008229990.tif 000007
【図６】
2008229990.tif 000008
【図７】
2008229990.tif 000009
【図８】
2008229990.tif 000010
【図９】
2008229990.tif 000011
【図１０】
2008229990.tif 000012
【図１１】
2008229990.tif 000013
【図１２】
2008229990.tif 000014
【図１３】
2008229990.tif 000015
【図１４】
2008229990.tif 000016
【図１５】
2008229990.tif 000017